(57)【要約】【課題】自覚検査結果の信頼性を向上させることが可能な眼科装置及び眼科検査システムを提供する。【解決手段】眼科装置は、対物レンズと、自覚検査光学系と、干渉光学系と、画像形成部と、制御部とを含む。自覚検査光学系は、被検眼の収差を補正可能な光学素子を含み、対物レンズ及び光学素子を介して被検眼に視標を投影する。干渉光学系は、光源からの光を参照光と測定光とに分割し、対物レンズ及び光学素子を介して被検眼に測定光を照射し、その戻り光と参照光との干渉光を生成し、干渉光を検出する。画像形成部は、干渉光学系による干渉光の検出結果に基づいて被検眼の断層像を形成する。制御部は、被検眼に測定光を照射することにより得られた干渉光の検出結果に基づく断層像の形成処理を自覚検査光学系を用いて得られた被検眼の自覚検査結果に応じて実行させる。【選択図】図３
2017136217.tif 000002
【特許請求の範囲】
【請求項１】
対物レンズと、
被検眼の収差を補正可能な光学素子を含み、前記対物レンズ及び前記光学素子を介して前記被検眼に視標を投影する自覚検査光学系と、
光源からの光を参照光と測定光とに分割し、前記対物レンズ及び前記光学素子を介して前記被検眼に前記測定光を照射し、その戻り光と前記参照光との干渉光を生成し、生成された前記干渉光を検出する干渉光学系と、
前記干渉光学系による前記干渉光の検出結果に基づいて前記被検眼の断層像を形成する画像形成部と、
前記被検眼に前記測定光を照射することにより得られた前記干渉光の検出結果に基づく前記断層像の形成処理を、前記自覚検査光学系を用いて得られた前記被検眼の自覚検査結果に応じて実行させる制御部と、
を含む眼科装置。
【請求項２】
前記制御部は、前記自覚検査結果における前記被検眼の最高矯正視力が所定の閾値以下のとき、前記形成処理を実行させる
ことを特徴とする請求項１に記載の眼科装置。
【請求項３】
前記自覚検査結果と前記断層像とを表示部に表示させる表示制御部を含む
ことを特徴とする請求項１又は請求項２に記載の眼科装置。
【請求項４】
対物レンズと、
被検眼の収差を補正可能な光学素子を含み、前記対物レンズ及び前記光学素子を介して前記被検眼に視標を投影する自覚検査光学系と、
光源からの光を参照光と測定光とに分割し、前記対物レンズ及び前記光学素子を介して前記被検眼に前記測定光を照射し、その戻り光と前記参照光との干渉光を生成し、生成された前記干渉光を検出する干渉光学系と、
前記被検眼に光を照射し、その戻り光の波面の収差を測定するための収差測定光学系と、
前記干渉光学系による前記干渉光の検出結果に基づいて前記被検眼の断層像を形成する画像形成部と、
前記被検眼に前記測定光を照射することにより得られた前記干渉光の検出結果に基づく前記断層像の形成処理を、前記自覚検査光学系を用いて得られた前記被検眼の自覚検査結果と前記収差測定光学系により得られた収差測定結果とに応じて実行させる制御部と、
を含む眼科装置。
【請求項５】
前記収差測定結果に基づいて前記被検眼の視力値を算出する視力値算出部を含み、
前記制御部は、前記視力値算出部により算出された前記視力値と前記自覚検査結果との差に応じて前記形成処理を実行させる
ことを特徴とする請求項４に記載の眼科装置。
【請求項６】
前記制御部は、前記収差測定結果に応じて前記形成処理を実行させる
ことを特徴とする請求項４又は請求項５に記載の眼科装置。
【請求項７】
前記自覚検査結果と前記収差測定結果と前記断層像とを表示部に表示させる表示制御部を含む
ことを特徴とする請求項４〜請求項６のいずれか一項に記載の眼科装置。
【請求項８】
左被検眼を検査するための左検査ユニットと、
右被検眼を検査するための右検査ユニットと、
を含み、
前記左検査ユニット及び前記右検査ユニットの少なくとも一方は、請求項１〜請求項７のいずれか一項に記載の眼科装置を含む
ことを特徴とする眼科検査システム。
【発明の詳細な説明】
【技術分野】
【０００１】
この発明は、眼科装置及び眼科検査システムに関する。
【背景技術】
【０００２】
被検眼に対して複数の検査や測定を実行可能な眼科装置が知られている。被検眼に対する検査や測定には、自覚検査や他覚測定がある。自覚検査は、被検者からの応答に基づいて結果を得るものである。他覚測定は、被検者からの応答を参照することなく、主として物理的な手法を用いて被検眼に関する情報を取得するものである。
【０００３】
例えば、特許文献１には、自覚検査と他覚測定とを実行可能な眼科装置が開示されている。この眼科装置は、他覚屈折測定、自覚検査を含む複数の検査や測定を実行することができる。他覚屈折測定では、波面収差測定により得られた測定結果からゼルニケ係数で表される波面収差が求められ、この波面収差から屈折値が求められる。自覚検査では、他覚屈折測定により得られた屈折値を用いて被検眼が矯正された状態で行われる。
【先行技術文献】
【特許文献】
【０００４】
【特許文献１】特開２００８−２４６１５３号公報
【発明の概要】
【発明が解決しようとする課題】
【０００５】
しかしながら、従来の眼科装置では、自覚検査により得られた自覚検査結果に問題があると判断された場合、その原因が波面収差測定により得られた屈折値（被検眼の眼球収差性能）に問題があるのか、網膜疾患など網膜に問題があるのかを判断することができない。それにより、自覚検査結果に対する信頼性が低下してしまうという問題がある。
【０００６】
本発明は、上記の問題点を解決するためになされたものであり、自覚検査結果の信頼性を向上させることが可能な眼科装置及び眼科検査システムを提供することを目的とする。
【課題を解決するための手段】
【０００７】
実施形態に係る眼科装置は、対物レンズと、自覚検査光学系と、干渉光学系と、画像形成部と、制御部とを含む。自覚検査光学系は、被検眼の収差を補正可能な光学素子を含み、対物レンズ及び光学素子を介して被検眼に視標を投影する。干渉光学系は、光源からの光を参照光と測定光とに分割し、対物レンズ及び光学素子を介して被検眼に測定光を照射し、その戻り光と参照光との干渉光を生成し、生成された干渉光を検出する。画像形成部は、干渉光学系による干渉光の検出結果に基づいて被検眼の断層像を形成する。制御部は、被検眼に測定光を照射することにより得られた干渉光の検出結果に基づく断層像の形成処理を、自覚検査光学系を用いて得られた被検眼の自覚検査結果に応じて実行させる。
実施形態に係る眼科検査システムは、左被検眼を検査するための左検査ユニットと、右被検眼を検査するための右検査ユニットと、を含み、前記左検査ユニット及び前記右検査ユニットの少なくとも一方は、実施形態に係る眼科装置を含む。
【発明の効果】
【０００８】
この発明に係る眼科装置及び眼科検査システムによれば、自覚検査結果の信頼性を向上させることが可能になる。
【図面の簡単な説明】
【０００９】
【図１】実施形態に係る眼科装置の光学系の構成例を示す概略図である。
【図２】実施形態に係る眼科装置の光学系の構成例を示す概略図である。
【図３】実施形態に係る眼科装置の処理系の構成例を示す概略図である。
【図４】実施形態に係る眼科装置の第１動作例のフロー図である。
【図５】実施形態に係る眼科装置の第２動作例のフロー図である。
【図６】実施形態に係る眼科装置が適用された眼科検査システムの構成例を示す概略図である。
【発明を実施するための形態】
【００１０】
この発明に係る眼科装置及び眼科検査システムの実施形態の例について、図面を参照しながら詳細に説明する。なお、この明細書において引用された文献の記載内容や任意の公知技術を、以下の実施形態に援用することが可能である。
【００１１】
＜眼科装置＞
実施形態に係る眼科装置は、任意の自覚検査及び任意の他覚測定の少なくとも一方を実行可能である。自覚検査では、被検者に情報（視標など）が呈示され、その情報に対する被検者の応答に基づいて結果が取得される。自覚検査には、遠用検査、近用検査、コントラスト検査、グレアー検査等の自覚屈折測定や、視野検査などがある。他覚測定では、被検眼に光を照射し、その戻り光の検出結果に基づいて被検眼に関する情報が取得される。他覚測定には、被検眼の特性を取得するための測定と、被検眼の画像を取得するための撮影とが含まれる。他覚測定には、他覚屈折測定、角膜形状測定、眼圧測定、眼底撮影、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いた断層像撮影（ＯＣＴ撮影）、ＯＣＴを用いた計測等がある。
【００１２】
以下、実施形態に係る眼科装置は、自覚検査として、遠用検査、近用検査などを実行可能であり、且つ、他覚測定として、波面収差計測による他覚屈折測定、角膜形状測定、ＯＣＴ撮影などを実行可能な装置であるものとする。しかしながら、実施形態に係る眼科装置の構成は、これに限定されるものではない。
【００１３】
また、ＯＣＴ撮影においてフーリエドメインタイプのＯＣＴの手法を用いる場合について説明する。特に、以下の実施形態に係る眼科装置は、スウェプトソースＯＣＴの手法を用いてＯＣＴ撮影を行うことが可能である。なお、ＯＣＴ撮影は、スウェプトソース以外のタイプ、例えばスペクトラルドメインＯＣＴの手法を用いてもよい。また、以下の実施形態におけるＯＣＴ撮影は、タイムドメインタイプのＯＣＴの手法を用いることも可能である。
【００１４】
［構成］
実施形態に係る眼科装置は、ベースに固定された顔受け部と、ベースに対して前後左右に移動可能な架台とを備えている。架台には、被検眼の検査（測定）を行うための光学系が収納されたヘッド部が設けられている。検者側の位置に配置された操作部に対して操作を行うことにより、顔受け部とヘッド部とを相対移動することができる。また、眼科装置は、後述のアライメントを実行することにより顔受け部とヘッド部とを自動で相対移動することができる。
【００１５】
図１及び図２に、実施形態に係る眼科装置の光学系の構成例を示す。眼科装置は、被検眼Ｅの検査を行うための光学系として、Ｚアライメント系１、ＸＹアライメント系２、ケラト測定系３、視標投影系４、観察系５、収差測定投影系６、収差測定受光系７及びＯＣＴ光学系８を含む。また、眼科装置は処理部９を含む。
【００１６】
（処理部９）
処理部９は、眼科装置の各部を制御する。また、処理部９は、各種演算処理を実行可能である。処理部９はプロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００１７】
（観察系５）
観察系５は、被検眼Ｅの前眼部を動画撮影する。被検眼Ｅの前眼部からの光（赤外光）は、対物レンズ５１を通過し、ダイクロイックミラー５２を透過し、絞り５３の開口を通過する。絞り５３の開口を通過した光は、ハーフミラー２２を透過し、リレーレンズ５５及び５６を通過し、結像レンズ５８により撮像素子５９（エリアセンサー）の撮像面に結像される。撮像素子５９は、所定のレートで撮像及び信号出力を行う。撮像素子５９の出力（映像信号）は処理部９に入力される。処理部９は、この映像信号に基づく前眼部像Ｅ’を表示部１０の表示画面１０ａに表示させる。前眼部像Ｅ’は、例えば赤外動画像である。観察系５は、前眼部を照明するための照明光源を含んでいてもよい。
【００１８】
（Ｚアライメント系１）
Ｚアライメント系１は、観察系５の光軸方向（前後方向、Ｚ方向）におけるアライメントを行うための光（赤外光）を被検眼Ｅに照射する。Ｚアライメント光源１１から出力された光は、被検眼Ｅの角膜Ｋに照射され、角膜Ｋにより反射され、結像レンズ１２によりラインセンサー１３に結像される。角膜頂点の位置が前後方向に変化すると、ラインセンサー１３に対する光の投影位置が変化する。処理部９は、ラインセンサー１３に対する光の投影位置に基づいて被検眼Ｅの角膜頂点の位置を求め、これに基づきＺアライメントを実行する。
【００１９】
（ＸＹアライメント系２）
ＸＹアライメント系２は、観察系５の光軸に直交する方向（左右方向（Ｘ方向）、上下方向（Ｙ方向））のアライメントを行うための光（赤外光）を被検眼Ｅに照射する。ＸＹアライメント系２は、ハーフミラー２２により観察系５から分岐された光路に設けられたＸＹアライメント光源２１を含む。ＸＹアライメント光源２１から出力された光は、ハーフミラー２２により反射され、観察系５を通じて被検眼Ｅに照射される。その角膜Ｋによる反射光は、観察系５を通じて撮像素子５９に導かれる。
【００２０】
この反射光の像（輝点像）は前眼部像Ｅ’に含まれる。処理部９は、図１に示すように、輝点像Ｂｒを含む前眼部像Ｅ’とアライメントマークＡＬとを表示画面１０ａに表示させる。手動でＸＹアライメントを行う場合、検者又は被検者等のユーザは、アライメントマークＡＬ内に輝点像Ｂｒを誘導するように光学系の移動操作を行う。自動でアライメントを行う場合、処理部９は、アライメントマークＡＬに対する輝点像Ｂｒの変位がキャンセルされるように、光学系を移動させるための機構を制御する。
【００２１】
（ケラト測定系３）
ケラト測定系３は、角膜Ｋの形状を測定するためのリング状光束（赤外光）を角膜Ｋに投影する。ケラト板３１は、対物レンズ５１と被検眼Ｅとの間に配置されている。ケラト板３１の背面側（対物レンズ５１側）にはケラトリング光源３２が設けられている。ケラトリング光源３２からの光でケラト板３１を照明することにより、角膜Ｋにリング状光束が投影される。その反射光（ケラトリング像）は撮像素子５９により前眼部像とともに検出される。処理部９は、このケラトリング像を基に公知の演算を行うことで角膜形状パラメータを算出する。
【００２２】
（視標投影系４）
視標投影系４は、固視標や自覚検査用の視標等の各種視標を被検眼Ｅに呈示する。液晶パネル４１は、処理部９からの制御を受け、視標を表すパターンを表示する。液晶パネル４１から出力された光（可視光）は、リレーレンズ４２及び合焦レンズ４３を通過し、ダイクロイックミラー８１を透過する。ダイクロイックミラー８１を透過した光は、リレーレンズ４４及びＶＣＣレンズ４６を通過し、反射ミラー４７により反射され、ダイクロイックミラー６９を透過し、ダイクロイックミラー５２により反射される。ダイクロイックミラー５２により反射された光は、対物レンズ５１を通過して眼底Ｅｆに投影される。
【００２３】
合焦レンズ４３は、視標投影系４の光軸に沿って移動可能である。液晶パネル４１と眼底Ｅｆとが光学的に共役となるように合焦レンズ４３の位置が調整される。ＶＣＣレンズ４６は、被検眼の非点収差を調整可能である（すなわち、被検眼の収差を補正可能である）。具体的には、ＶＣＣレンズ４６は、処理部９からの制御を受け、被検眼Ｅに付加する乱視度数及び乱視軸角度を変更可能であり、被検眼の眼球収差のうち少なくとも乱視度数及び乱視軸角度を補正可能である。それにより、被検眼Ｅの乱視状態が矯正される。
【００２４】
液晶パネル４１は、処理部９からの制御を受け、被検眼Ｅを固視させるための固視標を表すパターンを表示することが可能である。液晶パネル４１において固視標を表すパターンの表示位置を順次に変更することで固視位置を移動し、固視を誘導することができる。また、視標投影系４は、前述の視標とともにグレアー光を被検眼Ｅに投影するためのグレアー検査光学系を含んでもよい。
【００２５】
自覚検査を行う場合、処理部９は、他覚測定の結果に基づき液晶パネル４１、合焦レンズ４３及びＶＣＣレンズ４６を制御する。処理部９は、検者又は処理部９により選択された視標を液晶パネル４１に表示させる。それにより、当該視標が被検者に呈示される。被検者は視標に対する応答を行う。応答内容の入力を受けて、処理部９は、更なる制御や、自覚検査値の算出を行う。例えば、視力測定において、処理部９は、ランドルト環等に対する応答に基づいて、次の視標を選択して呈示し、これを繰り返し行うことで視力値を決定する。
【００２６】
他覚測定（他覚屈折測定など）においては、風景チャートが眼底Ｅｆに投影される。この風景チャートを被検者に凝視させつつアライメントが行われ、雲霧視状態で眼屈折力が測定される。
【００２７】
（収差測定投影系６及び収差測定受光系７）
収差測定投影系６及び収差測定受光系７は、被検眼Ｅの眼球収差特性の測定に用いられる。収差測定投影系６は、眼球収差特性測定用の光束（赤外光）を眼底Ｅｆに投影する。収差測定受光系７は、この光束の被検眼Ｅからの戻り光を受光する。収差測定受光系７による戻り光の受光結果から被検眼Ｅの眼球収差特性が求められる。
【００２８】
光源６１は、例えば５００ｎｍ〜９００ｎｍの波長範囲から選択された波長成分のレーザー光を発するものが用いられる。光源６１としては、例えばスーパールミネッセントダイオード（Ｓｕｐｅｒ  Ｌｕｍｉｎｅｓｃｅｎｔ  Ｄｉｏｄｅ：ＳＬＤ）などが挙げられる。光源６１は、収差測定投影系６の光軸に沿って移動可能である。光源６１は、眼底Ｅｆと光学的に共役な位置に配置される。光源６１から出力された光は、リレーレンズ６５及び瞳レンズ６６を通過し、ビームスプリッター６７により反射され、ロータリープリズム６８を通過し、ダイクロイックミラー６９により反射される。ダイクロイックミラー６９により反射された光は、ダイクロイックミラー５２により反射され、対物レンズ５１を通過して眼底Ｅｆに投影される。
【００２９】
ロータリープリズム６８は、眼底Ｅｆの血管や疾患部位に対するリング状光束の光量分布を平均化させるために用いられる。
【００３０】
眼底Ｅｆに投影された光束の戻り光は、対物レンズ５１を通過し、ダイクロイックミラー５２及び６９により反射される。ダイクロイックミラー６９により反射された戻り光は、ロータリープリズム６８を通過し、ビームスプリッター６７を透過し、瞳レンズ７１を通過し、反射ミラー７２により反射される。反射ミラー７２により反射された光は、リレーレンズ７３を通過し、測定ユニット７４に導かれる。
【００３１】
測定ユニット７４は、シャックハルトマンセンサーを含み、眼底Ｅｆからの戻り光の波面収差の測定に用いられる。具体的には、測定ユニット７４は、絞り７５と、結像レンズ７６と、ハルトマン板７７と、ＣＣＤ（Ｃｈａｒｇｅ  Ｃｏｕｐｌｅｄ  Ｄｅｖｉｃｅ）７８とを含む。測定ユニット７４に導かれた光は、絞り７５の開口を通過し、結像レンズ７６を通過し、ハルトマン板７７に入射する。ハルトマン板７７には、複数の小レンズが格子状に配列されており、入射光を多数の光束に分割しそれぞれ集光する。ＣＣＤ７８は、ハルトマン板７７によりそれぞれ集光された光を検出する。処理部９は、小レンズの焦点をＣＣＤ７８により撮像し、各レンズの焦点位置を解析することで、ハルトマン板７７に入射した光の波面収差を求める。それにより、被検眼Ｅの眼球収差特性が求められる。処理部９は、求められた眼球収差特性から公知の演算で被検眼Ｅの屈折値を求める。
【００３２】
絞り７５は、被検眼Ｅの眼底Ｅｆと光学的に共役な位置に配置されている。ハルトマン板７７は、被検眼Ｅの瞳と光学的に共役な位置に配置されている。測定ユニット７４は、収差測定受光系７の光軸に沿って移動可能である。
【００３３】
処理部９は、算出された屈折値に基づいて、光源６１と眼底Ｅｆと撮像素子５９とが光学的に共役になるように、光源６１と測定ユニット７４とをそれぞれ光軸方向に移動させる。更に、処理部９は、光源６１及び測定ユニット７４の移動に連動して合焦レンズ４３をその光軸方向に移動させる。また、処理部９は、光源６１及び測定ユニット７４の移動に連動してＯＣＴ光学系８の合焦レンズ８７Ｂをその光軸方向に移動させてもよい。
【００３４】
（ＯＣＴ光学系８）
ＯＣＴ光学系８は、ＯＣＴ撮影を行うための光学系である。ＯＣＴ撮影よりも前に実施された収差測定結果（又は、別途に行われたレフ測定結果）に基づいて、光ファイバーｆ２の端面が眼底Ｅｆと光学系に共役となるように合焦レンズ８７Ｂの位置が調整される。
【００３５】
ＯＣＴ光学系８の光路は、ダイクロイックミラー８１により視標投影系４の光路に結合される。それにより、ＯＣＴ光学系８及び視標投影系４のそれぞれの光軸を同軸で結合することができる。
【００３６】
ＯＣＴ光学系８は、ＯＣＴユニット９０を含む。図２に示すように、ＯＣＴユニット９０において、ＯＣＴ光源９１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザー光源を含んで構成される。ＯＣＴ光源９１は、人眼では視認できない近赤外の波長帯において、出力波長を時間的に変化させる。
【００３７】
ＯＣＴ光源９１から出力された光（赤外光、広帯域光）Ｌ０は、光ファイバーｆ１を通じて導かれたファイバーカプラー９２により測定光ＬＳと参照光ＬＲとに分割される。測定光ＬＳは、光ファイバーｆ２を通じてコリメートレンズ８６に導かれる。一方、参照光ＬＲは、光ファイバーｆ４を通じて参照光路長変更部９４に導かれる。
【００３８】
参照光路長変更部９４は、参照光ＬＲの光路長を変更する。参照光路長変更部９４に導かれた参照光ＬＲは、コリメートレンズ９５により平行光束とされてコーナーキューブ９６に導かれる。コーナーキューブ９６は、コリメートレンズ９５により平行光束とされた参照光ＬＲの進行方向を逆方向に折り返す。コーナーキューブ９６に入射する参照光ＬＲの光路と、コーナーキューブ９６から出射する参照光ＬＲの光路とは平行である。また、コーナーキューブ９６は、参照光ＬＲの入射光路及び出射光路に沿う方向に移動可能とされている。この移動により参照光ＬＲの光路の長さが変更される。コーナーキューブ９６から出射する参照光ＬＲは、コリメートレンズ９７によって平行光束から集束光束に変換されて光ファイバーｆ５に入射し、ファイバーカプラー９３に導かれる。コリメートレンズ９５とコーナーキューブ９６との間やコーナーキューブ９６とコリメートレンズ９７との間に、遅延部材や分散補償部材が設けられていてもよい。遅延部材は、参照光ＬＲの光路長（光学距離）と測定光ＬＳの光路長とを合わせるための光学部材である。分散補償部材は、参照光ＬＲと測定光ＬＳとの間の分散特性を合わせるための光学部材である。
【００３９】
コリメートレンズ８６により平行光束とされた測定光ＬＳは、光スキャナー８４により１次元的又は２次元的に偏向される。光スキャナー８４は、ガルバノミラー８４Ｘと、ガルバノミラー８４Ｙとを含む。ガルバノミラー８４Ｘは、眼底ＥｆをＸ方向にスキャンするように測定光ＬＳを偏向する。ガルバノミラー８４Ｙは、眼底ＥｆをＹ方向にスキャンするように、ガルバノミラー８４Ｘにより偏向された測定光ＬＳを偏向する。このような光スキャナー８４による測定光ＬＳの走査態様としては、例えば、水平スキャン、垂直スキャン、十字スキャン、放射スキャン、円スキャン、同心円スキャン、螺旋スキャンなどがある。
【００４０】
ガルバノミラー８４Ｘとガルバノミラー８４Ｙとの間には、反射ミラー８５と、リレーレンズ８７Ａと、合焦レンズ８７Ｂとが設けられている。合焦レンズ８７Ｂは、ＯＣＴ光学系８の光軸に沿って移動可能である。反射ミラー８５は、ガルバノミラー８４Ｘにより偏向された測定光ＬＳをガルバノミラー８４Ｙに導く。光スキャナー８４には、ガルバノミラー８４Ｙに代えてイメージローテーターが設けられていてもよい。イメージローテーターは、ＯＣＴ光学系８の光軸に配置され、当該光軸を中心に回転可能に設けられる。
【００４１】
光スキャナー８４により偏向された測定光ＬＳは、反射ミラー８３及びリレーレンズ８２を経由して、ダイクロイックミラー８１により反射される。ダイクロイックミラー８１により反射された測定光ＬＳは、視標投影系４を通じてダイクロイックミラー５２に導かれ、ダイクロイックミラー５２により反射される。ダイクロイックミラー５２により反射された光は、対物レンズ５１を通過して被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバーカプラー９２に導かれ、光ファイバーｆ３を経由してファイバーカプラー９３に到達する。
【００４２】
ファイバーカプラー９３は、光ファイバーｆ３を介して入射された測定光ＬＳと、光ファイバーｆ５を介して入射された参照光ＬＲとを合成して（干渉させて）干渉光を生成する。ファイバーカプラー９３は、所定の分岐比（例えば１：１）で、測定光ＬＳと参照光ＬＲとの干渉光を分岐することにより、一対の干渉光ＬＣを生成する。ファイバーカプラー９３から出射した一対の干渉光ＬＣは、それぞれ光ファイバーｆ６及びｆ７により検出器９８に導かれる。
【００４３】
検出器９８は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ：ＢＰＤ）である。ＯＣＴ光源９１により所定の波長範囲内で掃引（走査）される各波長の出力タイミングに同期して生成されたクロックに基づいて、検出器９８から出力された検出結果の差分がサンプリングされる。このサンプリングデータは、処理部９の演算処理部１２０に送られる。演算処理部１２０は、例えば一連の波長走査毎に（Ａライン毎に）、サンプリングデータに基づくスペクトル分布にフーリエ変換等を施すことにより、各Ａラインにおける反射強度プロファイルを形成する。更に、演算処理部１２０は、各Ａラインの反射強度プロファイルを画像化することにより画像データを形成する。
【００４４】
以上のように、ＯＣＴ光学系８は、ＯＣＴ光源９１からの光Ｌ０を参照光ＬＲと測定光ＬＳとに分割し、被検眼Ｅに測定光ＬＳを照射し、その戻り光と参照光ＬＲとの干渉光ＬＣを生成し、生成された干渉光を検出する干渉光学系を含む。この干渉光学系は、対物レンズ５１及びＶＣＣレンズ４６を介して被検眼Ｅに測定光ＬＳを照射する。
【００４５】
このようなＯＣＴ光学系８は、ダイクロイックミラー８１により視標投影系４の光路に結合される。例えば穴開きプリズムを用いてＯＣＴ光学系８の光路を他の光学系の光路に結合する場合、穴開きプリズムの穴部に測定光を通過させるように光学系が構成されるため、測定光やその戻り光のケラレ等を考慮する必要が生じる。また、ＯＣＴ光学系８を測定光の波長に近い波長の光を用いる他の光学系に結合する場合、互いに波長が近くなるため分離が難しくなり、効率が低下してしまう。これに対して、ＯＣＴ光学系８の光路をダイクロイックミラー８１を用いて他の光学系の光路に結合するようにしたので、光学系の構成を簡素化でき、光学系の設計の自由度を向上させることができる。また、他の光学系を追加しやすくなり、拡張性を備えた構成とすることができる。
【００４６】
更に、ＶＣＣレンズ４６よりも光源側（上流側）で上記の２つの光路を結合するようにしたので、ＶＣＣレンズ４６を通じて測定光ＬＳが眼底Ｅｆに照射され、測定部位においてより一点に収束されやすくなる。それにより、最適な横分解能で、干渉光の検出結果に基づく干渉信号を十分な強度で取得できるようになる。
【００４７】
例えば、ＶＣＣレンズ４６は、被検眼Ｅの瞳と光学的に共役な位置（瞳共役位置Ｑ）に配置されている。例えば、ガルバノミラー８４Ｘとガルバノミラー８４Ｙとのそれぞれは、被検眼Ｅの瞳と光学的に共役な位置に配置されている。更に、被検眼Ｅの眼底Ｅｆと光ファイバーｆ２のファイバー端面とが光学的に共役な位置（眼底共役位置Ｐ）となるように合焦レンズ８７Ｂが光軸方向に移動される。
【００４８】
（処理系の構成）
実施形態に係る眼科装置の処理系について説明する。眼科装置の処理系の機能的構成の例を図３に示す。図３は、実施形態に係る眼科装置の処理系の機能ブロック図の一例を表したものである。処理部９は、制御部１１０と演算処理部１２０とを含む。また、実施形態に係る眼科装置は、表示部１７０と、操作部１８０と、通信部１９０と、移動機構２００とを含む。
【００４９】
移動機構２００は、Ｚアライメント系１、ＸＹアライメント系２、ケラト測定系３、視標投影系４、観察系５、収差測定投影系６、収差測定受光系７及びＯＣＴ光学系８等の光学系が収納されたヘッド部を前後左右方向に移動させるための機構である。例えば、移動機構２００には、移動機構２００を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部１１０（主制御部１１１）は、アクチュエータに対して制御信号を送ることにより移動機構２００に対する制御を行う。
【００５０】
（制御部１１０）
制御部１１０は、プロセッサを含み、眼科装置の各部を制御する。制御部１１０は、主制御部１１１と、記憶部１１２とを含む。記憶部１１２には、眼科装置を制御するためのコンピュータプログラムがあらかじめ格納される。コンピュータプログラムには、光源制御用プログラム、検出器制御用プログラム、光スキャナー制御用プログラム、光学系制御用プログラム、演算処理用プログラム及びユーザインターフェイス用プログラムなどが含まれる。このようなコンピュータプログラムに従って主制御部１１１が動作することにより、制御部１１０は制御処理を実行する。
【００５１】
主制御部１１１は、測定制御部として眼科装置の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部１１１は、ラインセンサー１３により検出された信号を取り込み、取り込まれた信号に基づいてラインセンサー１３に対する光の投影位置を特定する。主制御部１１１は、特定された投影位置に基づいて被検眼Ｅの角膜頂点の位置を求め、これに基づき移動機構２００を制御してヘッド部を前後方向に移動させる（Ｚアライメント）。
【００５２】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部１１１は、撮像素子５９により検出された信号を取り込み、取り込まれた信号に基づいてＸＹアライメント光源２１からの光の戻り光に基づく輝点像の位置を特定する。主制御部１１１は、所定の目標位置（例えば、アライメントマークの中心位置）に対する輝点像の位置との変位がキャンセルされるように移動機構２００を制御してヘッド部を左右上下方向に移動させる（ＸＹアライメント）。
【００５３】
ケラト測定系３に対する制御には、ケラトリング光源３２の制御などがある。ケラトリング光源３２の制御には、光源の点灯、消灯、光量調整、絞り調整などがある。それにより、ケラトリング光源３２の点灯と非点灯とが切り替えられたり、光量が変更されたりする。主制御部１１１は、撮像素子５９により検出されたケラトリング像に対する公知の演算を演算処理部１２０に実行させる。それにより、被検眼Ｅの角膜形状パラメータが求められる。
【００５４】
視標投影系４に対する制御には、液晶パネル４１の制御、合焦レンズ４３の制御、ＶＣＣレンズ４６の制御などがある。液晶パネル４１の制御には、視標や固視標の表示のオン・オフや、固視標の表示位置の切り替えなどがある。それにより、被検眼Ｅの眼底Ｅｆに視標や固視標が投影される。合焦レンズ４３の制御には、合焦レンズ４３の光軸方向への移動制御などがある。例えば、視標投影系４は、合焦レンズ４３を光軸方向に移動する移動機構を含む。この移動機構には、移動機構２００と同様に、当該移動機構を移動するための駆動力を発生するアクチュエータと、この駆動力を伝達する伝達機構とが設けられる。主制御部１１１は、アクチュエータに対して制御信号を送ることにより移動機構に対する制御を行い、合焦レンズ４３を光軸方向に移動させる。それにより、液晶パネル４１と眼底Ｅｆとが光学的に共役となるように合焦レンズ４３の位置が調整される。ＶＣＣレンズ４６の制御には、乱視度数及び乱視軸角度の変更制御などがある。ＶＣＣレンズ４６は、その光軸を中心として相対的に回転可能に設けられた凹凸一対のシリンダーレンズを含む。主制御部１１１は、例えば後述の波面収差測定など別途に得られた被検眼Ｅの乱視状態（乱視度数、乱視軸角度）を矯正するように一対のシリンダーレンズを相対的に回転させる。
【００５５】
観察系５に対する制御には、撮像素子５９の制御などがある。撮像素子５９の制御には、撮像素子５９の露光調整やゲイン調整や検出レート調整などがある。主制御部１１１は、撮像素子５９により検出された信号を取り込み、取り込まれた信号に基づく画像の形成等の処理を演算処理部１２０に実行させる。なお、観察系５が照明光源を含んで構成されている場合、主制御部１１１は照明光源を制御することが可能である。
【００５６】
収差測定投影系６に対する制御には、光源６１の制御、ロータリープリズム６８の制御などがある。光源６１の制御には、光源６１の制御や光源６１の光軸方向への移動制御などがある。光源６１の制御には、光源の点灯、消灯、光量調整、絞り調整などがある。それにより、光源６１の点灯と非点灯とが切り替えられたり、光量が変更されたりする。例えば、収差測定投影系６は、光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部１１１は、アクチュエータに対して制御信号を送ることにより移動機構に対する制御を行い、光源６１を光軸方向に移動させる。ロータリープリズム６８の制御には、ロータリープリズム６８の回転制御などがある。例えば、ロータリープリズム６８を回転させる回転機構が設けられており、主制御部１１１は、この回転機構を制御することによりロータリープリズム６８を回転させる。
【００５７】
収差測定受光系７に対する制御には、測定ユニット７４の制御、ＣＣＤ７８の制御などがある。測定ユニット７４の制御には、測定ユニット７４の光軸方向への移動制御などがある。例えば、収差測定受光系７は、測定ユニット７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部１１１は、アクチュエータに対して制御信号を送ることにより移動機構に対する制御を行い、測定ユニット７４を光軸方向に移動させる。主制御部１１１は、光源６１と眼底Ｅｆと撮像素子５９とが光学的に共役となるように、例えば被検眼Ｅの屈折力に応じて光源６１及び測定ユニット７４をそれぞれ光軸方向に移動させることが可能である。ＣＣＤ７８の制御には、ＣＣＤ７８の露光調整やゲイン調整や検出レート調整などがある。主制御部１１１は、ＣＣＤ７８により検出された信号を取り込み、取り込まれた信号に基づく眼球収差特性の算出処理などを演算処理部１２０に実行させる。
【００５８】
ＯＣＴ光学系８に対する制御には、ＯＣＴ光源９１の制御、光スキャナー８４の制御、合焦レンズ８７Ｂの制御、コーナーキューブ９６の制御、検出器９８の制御などがある。ＯＣＴ光源９１の制御には、光源の点灯、消灯、光量調整、絞り調整などがある。光スキャナー８４の制御には、ガルバノミラー８４Ｘによる走査位置や走査範囲や走査速度の制御、ガルバノミラー８４Ｙによる走査位置や走査範囲や走査速度の制御などがある。合焦レンズ８７Ｂの制御には、合焦レンズ８７Ｂの光軸方向への移動制御などがある。例えば、ＯＣＴ光学系８は、合焦レンズ８７Ｂを光軸方向に移動する移動機構を含む。この移動機構には、移動機構２００と同様に、当該移動機構を移動するための駆動力を発生するアクチュエータと、この駆動力を伝達する伝達機構とが設けられる。主制御部１１１は、アクチュエータに対して制御信号を送ることにより移動機構に対する制御を行い、合焦レンズ８７Ｂを光軸方向に移動させる。主制御部１１１は、例えば、合焦レンズ４３の移動に連動して合焦レンズ８７Ｂを移動させた後、干渉信号の強度に基づいて合焦レンズ８７Ｂだけを移動させるようにしてもよい。コーナーキューブ９６の制御には、コーナーキューブ９６の光軸方向への移動制御などがある。例えば、ＯＣＴ光学系８は、コーナーキューブ９６を光軸方向に移動する移動機構を含む。この移動機構には、移動機構２００と同様に、当該移動機構を移動するための駆動力を発生するアクチュエータと、この駆動力を伝達する伝達機構とが設けられる。主制御部１１１は、アクチュエータに対して制御信号を送ることにより移動機構に対する制御を行い、コーナーキューブ９６を光軸方向に移動させる。それにより、参照光ＬＲの光路の長さが変更される。検出器９８の制御には、検出素子の露光調整やゲイン調整や検出レート調整などがある。主制御部１１１は、検出器９８により検出された信号をサンプリングし、サンプリングされた信号に基づく画像の形成等の処理を演算処理部１２０（画像形成部１２２）に実行させる。
【００５９】
主制御部１１１は、表示制御部１１１Ａを含む。表示制御部１１１Ａは、各種情報を表示部１７０に表示させる。表示部１７０に表示される情報には、上記の光学系を用いて取得された他覚測定結果（収差測定結果）や自覚検査結果、画像形成部１２２により形成された画像データに基づく画像、データ処理部１２３により画像処理やデータ処理が施された画像や情報などがある。表示制御部１１１Ａは、これらの各種情報を重畳して表示部１７０に表示させたり、その一部を識別表示させたりすることが可能である。
【００６０】
また、主制御部１１１は、記憶部１１２にデータを書き込む処理や、記憶部１１２からデータを読み出す処理を行う。
【００６１】
（記憶部１１２）
記憶部１１２は、各種のデータを記憶する。記憶部１１２に記憶されるデータとしては、例えば自覚検査の検査結果、他覚測定の測定結果、断層像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部１１２には、眼科装置を動作させるための各種プログラムやデータが記憶されている。
【００６２】
（演算処理部１２０）
演算処理部１２０は、眼屈折力算出部１２１と、画像形成部１２２と、データ処理部１２３とを含む。
【００６３】
眼屈折力算出部１２１は、収差測定受光系７においてハルトマン板７７によりＣＣＤ７８の受光面に形成されたレンズアレイ像を解析する。例えば、眼屈折力算出部１２１は、得られたレンズアレイ像が描出された画像からハルトマン板７７の小レンズの焦点位置を特定し、特定された焦点位置と無収差の場合の焦点位置とのずれ量を求める。眼屈折力算出部１２１は、求められたずれ量を用いた公知の演算により入射波面の近似式を求める。求められた入射波面の近似式は、ゼルニケ係数とゼルニケ多項式とにより表される。波面収差は、ゼルニケ係数で表される。眼屈折力算出部１２１は、公知の演算により、ゼルニケ係数の２次項から球面度数Ｓ、乱視度数Ｃ及び乱視軸角度Ａを屈折値として求める。
【００６４】
また、眼屈折力算出部１２１は、測定された波面収差に対して公知のランドルト環シミュレーションを施すことにより被検眼Ｅのランドルト環の網膜像のシミュレーションを実行することにより予想視力値を算出することが可能である。ランドルト環シミュレーションでは、測定された波面収差に対してフーリエ変換を施すことにより点像強度分布（Ｐｏｉｎｔ  Ｓｐｒｅａｄ  Ｆｕｎｃｔｉｏｎ：ＰＳＦ）が算出される。更に、この点像強度分布に対して更にフーリエ変換を施すことにより光学伝達関数（Ｏｐｔｉｃａｌ  Ｔｒａｎｓｆｅｒ  Ｆｕｎｃｔｉｏｎ：ＯＴＦ）が求められ。求められた光学伝達関数とランドルト環の空間周波数分布とを掛け合わせることにより被検眼Ｅのランドルト環の網膜像のシミュレーション結果が得られる。このようなランドルト環シミュレーションの詳細については、例えば特開２００６−１１６１１２号公報に開示されている。眼屈折力算出部１２１は、例えば、この網膜像とランドルト環の原画像とを比較してランドルト環が視認できたか否かの判断を繰り返すことで、予想視力値を求めることが可能である。
【００６５】
また、眼屈折力算出部１２１は、観察系５により取得されたケラトリング像に基づいて、角膜屈折力、角膜乱視度及び角膜乱視軸角度を算出する。例えば、眼屈折力算出部１２１は、ケラトリング像を解析することにより角膜前面の強主経線や弱主経線の角膜曲率半径を算出し、角膜曲率半径に基づいて上記パラメータを算出する。
【００６６】
画像形成部１２２は、検出器９８により検出された信号に基づいて、眼底Ｅｆの断層像の画像データを形成する。すなわち、画像形成部１２２は、干渉光学系による干渉光ＬＣの検出結果に基づいて被検眼Ｅの画像データを形成する。この処理には、従来のスウェプトソースタイプのＯＣＴと同様に、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００６７】
画質を向上させるために、同じパターンでのスキャンを複数回繰り返して収集された複数のデータセットを重ね合わせる（加算平均する）ことができる。
【００６８】
データ処理部１２３は、画像形成部１２２により形成された断層像に対して各種のデータ処理（画像処理）や解析処理を施す。例えば、データ処理部１２３は、画像の輝度補正や分散補正等の補正処理を実行する。また、データ処理部１２３は、観察系５を用い得られた画像（前眼部像等）に対して各種の画像処理や解析処理を施す。
【００６９】
データ処理部１２３は、断層像の間の画素を補間する補間処理などの公知の画像処理を実行することにより、被検眼Ｅのボリュームデータ（ボクセルデータ）を形成することができる。ボリュームデータに基づく画像を表示させる場合、データ処理部１２３は、このボリュームデータに対してレンダリング処理を施して、特定の視線方向から見たときの擬似的な３次元画像を形成する。
【００７０】
（表示部１７０、操作部１８０）
表示部１７０は、ユーザインターフェイス部として、制御部１１０による制御を受けて情報を表示する。表示部１７０は、図１に示す表示部１０を含む。
【００７１】
操作部１８０は、ユーザインターフェイス部として、眼科装置を操作するために使用される。操作部１８０は、眼科装置に設けられた各種のハードウェアキー（ジョイスティック、ボタン、スイッチなど）を含む。また、操作部１８０は、タッチパネル式の表示画面１０ａに表示される各種のソフトウェアキー（ボタン、アイコン、メニューなど）を含んでもよい。
【００７２】
表示部１７０及び操作部１８０の少なくとも一部が一体的に構成されていてもよい。その典型例として、タッチパネル式の表示画面１０ａがある。
【００７３】
（通信部１９０）
通信部１９０は、図示しない外部装置と通信するための機能を有する。通信部１９０は、例えば処理部９に設けられていてもよい。通信部１９０は、外部装置との通信の形態に応じた構成を有する。
【００７４】
ＶＣＣレンズ４６は、この実施形態に係る「光学素子」の一例である。視標投影系４は、この実施形態に係る「自覚検査光学系」の一例である。ＯＣＴ光学系８は、この実施形態に係る「干渉光学系」の一例である。収差測定投影系６及び収差測定受光系７は、この実施形態に係る「収差測定光学系」の一例である。眼屈折力算出部１２１は、この実施形態に係る「視力値算出部」の一例である。
【００７５】
［動作例］
この実施形態に係る眼科装置の動作例について説明する。
【００７６】
図４に、この実施形態に係る眼科装置の第１動作例のフロー図を示す。第１動作例は、自覚検査結果に応じてＯＣＴ撮影が実行される場合の動作例である。
【００７７】
（Ｓ１）
被検者の顔を顔受け部で固定した後、ＸＹアライメント系２によるＸＹアライメントとＺアライメント系１によるＺアライメントとによりヘッド部が被検眼Ｅの検査位置に移動される。検査位置とは、被検眼Ｅの検査を行うことが可能な位置である。例えば、処理部９（制御部１１０）は、撮像素子５９の撮像面上に結像された前眼部像の撮像信号を取得し、表示部１７０（表示部１０の表示画面１０ａ）に前眼部像Ｅ’を表示させる。その後、上記のＸＹアライメントとＺアライメントとによりヘッド部が被検眼Ｅの検査位置に移動される。ヘッド部の移動は、制御部１１０による指示に従って、制御部１１０によって実行されるが、ユーザによる操作若しくは指示に従って制御部１１０によって実行されてもよい。
【００７８】
また、制御部１１０は、光源６１、測定ユニット７４及び合焦レンズ４３を連動させて、光軸に沿って原点、例えば、０Ｄに相当する位置に移動させる。
【００７９】
（Ｓ２）
制御部１１０は、液晶パネル４１に固視標を表示させる。それにより、所望の固視位置に被検眼Ｅを注視させる。
【００８０】
（Ｓ３）
次に、制御部１１０は、他覚測定を実行する。すなわち、制御部１１０は、収差測定投影系６により測定用の光束を被検眼Ｅの眼底Ｅｆに投影させ、収差測定受光系７においてＣＣＤ７８により検出された戻り光に基づくレンズアレイ像を眼屈折力算出部１２１に解析させる。眼屈折力算出部１２１は、上記のように球面度数Ｓ、乱視度数Ｃ及び乱視軸角度Ａを求める。制御部１１０では、算出された球面度数Ｓなどが記憶部１１２に記憶される。
【００８１】
また、収差測定前又は収差測定後に、制御部１１０は、ケラト測定を実行することが可能である。この場合、制御部１１０は、ケラトリング光源３２を点灯させ、撮像素子５９により検出されたケラトリング像を眼屈折力算出部１２１に解析させる。眼屈折力算出部１２１は、上記のようにケラトリング像を解析することにより角膜曲率半径を算出し、算出された角膜曲率半径から角膜屈折力、角膜乱視度及び角膜乱視軸角度を算出する。制御部１１０では、算出された角膜屈折力などが記憶部１１２に記憶される。
【００８２】
（Ｓ４）
次に、制御部１１０は、自覚検査を実行する。まず、制御部１１０は、Ｓ３において求められた球面度数Ｓ、乱視度数Ｃ及び乱視軸角度Ａが矯正されるように合焦レンズ４３及びＶＣＣレンズ４６を制御する。次に、制御部１１０は、例えば、操作部１８０に対するユーザの指示に基づき、液晶パネル４１を制御することにより所望の視標を表示させる。被検者は、眼底Ｅｆに投影された視標に対する応答を行う。例えば、視力測定用の視標の場合には、被検者の応答により被検眼の視力値等が決定される。視標の選択とそれに対する被検者の応答が、検者又は制御部１１０の判断により繰り返し行われる。検者又は制御部１１０は、被検者からの応答に基づいて最高矯正視力値や視力値（或いは処方値（Ｓ、Ｃ、Ａ））を決定する。
【００８３】
（Ｓ５）
制御部１１０は、断層像撮影を行うか否かを判定する。制御部１１０は、Ｓ４において決定された最高矯正視力値が所定の閾値（例えば、０．５）以下のとき、断層像撮影を行うと判定する。或いは、操作部１８０に対するユーザの操作又は指示に基づいて、制御部１１０は、断層像撮影を行うか否かを判定してもよい。このとき、Ｓ４において決定された最高矯正視力値を表示部１７０に表示させ、ユーザに断層像撮影を行うか否かの判断を補助するための情報を提供することが可能である。
【００８４】
また、制御部１１０は、Ｓ４における自覚検査（クロスシリンダー試験など）で測定値が収束しないと判断された場合や、所定の時間が経過したと判断された場合に、断層像撮影を行うと判定してもよい。或いは、操作部１８０に対するユーザの操作又は指示に基づいて、制御部１１０は、断層像撮影を行うか否かを判定してもよい。
【００８５】
断層像撮影を行うと判定されたとき（Ｓ５：Ｙ）、眼科装置の動作はＳ６に移行する。断層像撮影を行わないと判定されたとき（Ｓ５：Ｎ）、眼科装置の動作は終了する（エンド）。
【００８６】
（Ｓ６）
Ｓ５において断層像撮影を行うと判定されたとき（Ｓ５：Ｙ）、制御部１１０は、ＯＣＴ光学系８により眼底Ｅｆの所定の部位を測定光でスキャンさせ、演算処理部１２０に被検眼Ｅの断層像を形成させる。例えば、制御部１１０は、眼底Ｅｆのあらかじめ決められた部位を測定光で所定の角度の放射状スキャンをさせることができる。
【００８７】
（Ｓ７）
次に、表示制御部１１１Ａは、Ｓ３において得られた他覚測定結果、Ｓ４において得られた自覚検査結果及びＳ６において得られた断層像を表示部１７０に表示させる。以上で、眼科装置の動作は、終了となる（エンド）。
【００８８】
図５に、この実施形態に係る眼科装置の第２動作例のフロー図を示す。第２動作例は、波面収差測定結果に応じてＯＣＴ撮影が実行される場合の動作例である。
【００８９】
（Ｓ１１）
Ｓ１と同様に、制御部１１０は、ＸＹアライメントとＺアライメントとを行う。
【００９０】
（Ｓ１２）
Ｓ２と同様に、制御部１１０は、固視制御を行う。
【００９１】
（Ｓ１３）
Ｓ３と同様に、制御部１１０は、収差測定投影系６及び収差測定受光系７を用いて波面収差測定を実行し、収差測定受光系７においてＣＣＤ７８により検出された戻り光に基づくレンズアレイ像を眼屈折力算出部１２１に解析させる。眼屈折力算出部１２１は、上記のように球面度数Ｓ、乱視度数Ｃ及び乱視軸角度Ａを求める。制御部１１０では、算出された球面度数Ｓなどが記憶部１１２に記憶される。また、収差測定前又は収差測定後に、上記のようにケラト測定を実行してもよい。
【００９２】
（Ｓ１４）
制御部１１０は、Ｓ１３において測定された波面収差に対して上記のように公知のランドルト環シミュレーションを施すことにより、予想視力値を算出する。
【００９３】
（Ｓ１５）
次に、制御部１１０は、Ｓ４と同様に自覚検査を実行する。
【００９４】
（Ｓ１６）
制御部１１０は、断層像撮影を行うか否かを判定する。制御部１１０は、Ｓ１４において得られた予想視力値とＳ１５において得られた実測値（自覚検査結果）とを比較し、実測値が予想視力値より所定の値を超えて低いとき、又は両者の差が所定の閾値以上のとき、断層像撮影を行うと判定する。或いは、操作部１８０に対するユーザの操作又は指示に基づいて、制御部１１０は、断層像撮影を行うか否かを判定してもよい。このとき、Ｓ１４において得られた予想視力値とＳ１５において得られた実測値とを表示部１７０に表示させ、ユーザに断層像撮影を行うか否かの判断を補助するための情報を提供することが可能である。
【００９５】
また、Ｓ１６において、制御部１１０は、予想視力値を参照することなく、収差測定結果に応じて断層像撮影を行うか否かを判定することが可能である。例えば、制御部１１０は、ハルトマン板７７により集光されＣＣＤ７８により取得されたハルトマン像のコントラストに応じて断層像撮影を行うか否かを判定する。この場合、ハルトマン像の光量分布の最大値と最小値との差が所定の閾値以下のとき、断層像撮影を行うと判定する。このようなコントラストが低い被検眼は白内障眼の疑いがあり、水晶体を含む前眼部ＯＣＴ撮影対象とすることができる。
【００９６】
断層像撮影を行うと判定されたとき（Ｓ１６：Ｙ）、眼科装置の動作はＳ１７に移行する。断層像撮影を行わないと判定されたとき（Ｓ１６：Ｎ）、眼科装置の動作は終了する（エンド）。
【００９７】
（Ｓ１７）
Ｓ１６において断層像撮影を行うと判定されたとき（Ｓ１６：Ｙ）、制御部１１０は、Ｓ６と同様に、ＯＣＴ光学系８により眼底Ｅｆの所定の部位を測定光でスキャンさせ、演算処理部１２０に被検眼Ｅの断層像を形成させる。
【００９８】
（Ｓ１８）
次に、表示制御部１１１Ａは、Ｓ１３において得られた収差測定結果、Ｓ１４において得られた自覚検査結果及びＳ１７において得られた断層像を表示部１７０に表示させる。以上で、眼科装置の動作は、終了となる（エンド）。
【００９９】
Ｓ６又はＳ１７では、例えば、被検眼Ｅの黄斑の近傍を測定光でスキャンすることにより得られた黄斑の近傍の部位の断層像を表示部１７０に表示させることが可能である。この場合、検者等は、黄斑の近傍の部位の断層像を観察することができるため、Ｓ４又はＳ１５において取得された自覚検査結果が妥当であるか否かを確認することが可能になり、Ｓ４又はＳ１５における自覚検査結果の精度を向上させることができる。また、乱視度数及び乱視軸角度を変更可能なＶＣＣレンズ４６を通じて被検眼に照射された測定光は測定部位においてより一点に収束されやすくなり、最適な横分解能で、干渉光の検出結果に基づく干渉信号を十分な強度で取得できるようになる。
【０１００】
＜眼科検査システム＞
実施形態に係る眼科装置は、両眼を検査可能な眼科検査システムに適用すること可能である。
【０１０１】
図６に、実施形態に係る眼科装置が適用された眼科検査システムの構成例のブロック図である。
【０１０２】
眼科検査システムは、測定ヘッド３００を含む。測定ヘッド３００は、図示しない支持部材により支持された保持部３５０により上方から吊り下げられる。測定ヘッド３００は、移動機構３１０と、左検査ユニット３２０Ｌと、右検査ユニット３２０Ｒとを含む。左検査ユニット３２０Ｌ及び右検査ユニット３２０Ｒのそれぞれには、図示しない検眼窓が形成されている。被検者の左眼（左被検眼）は、左検査ユニット３２０Ｌに設けられた検眼窓を通じて検査が行われる。被検者の右眼（右被検眼）は、右検査ユニット３２０Ｒに設けられた検眼窓を通じて検査が行われる。
【０１０３】
左検査ユニット３２０Ｌ及び右検査ユニット３２０Ｒは、移動機構３１０により独立に又は連動して３次元的に移動される。左検査ユニット３２０Ｌ及び右検査ユニット３２０Ｒの少なくとも一方には、実施形態に係る眼科装置が設けられる。
【０１０４】
移動機構３１０は、水平動機構３１１Ｌ、３１１Ｒと、回動機構３１２Ｌ、３１２Ｒと、上下動機構３１３Ｌ、３１３Ｒとを含む。
【０１０５】
水平動機構３１１Ｌは、回動機構３１２Ｌ、上下動機構３１３Ｌ及び左検査ユニット３２０Ｌを水平方向（横方向（Ｘ方向）、前後方向（Ｚ方向））に移動する。それにより、左被検眼の配置位置に応じて、検眼窓の水平方向の位置を調整することができる。水平動機構３１１Ｌは、例えば、駆動手段や駆動手段により発生された駆動力を伝達する駆動力伝達手段などを用いた公知の構成を備え、図示しない制御装置からの制御信号を受けて回動機構３１２Ｌ等を水平方向に移動する。水平動機構３１１Ｌは、操作者による操作を受け、回動機構３１２Ｌ等を水平方向に手動で移動することも可能である。
【０１０６】
水平動機構３１１Ｒは、回動機構３１２Ｒ、上下動機構３１３Ｒ及び右検査ユニット３２０Ｒを水平方向に移動する。それにより、右被検眼の配置位置に応じて、検眼窓の水平方向の位置を調整することができる。水平動機構３１１Ｒは、水平動機構３１１Ｌと同様の構成を備え、図示しない制御装置からの制御信号を受けて回動機構３１２Ｒ等を水平方向に移動する。水平動機構３１１Ｒは、操作者による操作を受け、回動機構３１２Ｒ等を水平方向に手動で移動することも可能である。
【０１０７】
回動機構３１２Ｌは、鉛直方向（略鉛直方向）に延びる左眼用の回動軸（左回動軸）を中心に上下動機構３１３Ｌ及び左検査ユニット３２０Ｌを回動する。この回動軸と水平面とのなす角は、変更可能である。回動機構３１２Ｌは、例えば、駆動手段や駆動手段により発生された駆動力を伝達する駆動力伝達手段などを用いた公知の構成を備え、図示しない制御装置からの制御信号を受けて当該回動軸を中心に左検査ユニット３２０Ｌ等を回動する。回動機構３１２Ｌは、操作者による操作を受け、当該回動軸を中心に左検査ユニット３２０Ｌ等を手動で回動することも可能である。
【０１０８】
回動機構３１２Ｒは、鉛直方向に延びる右眼用の回動軸（右回動軸）を中心に上下動機構３１３Ｒ及び右検査ユニット３２０Ｒを回動する。この回動軸と水平面とのなす角は、変更可能である。右眼用の回動軸は、左眼用の回動軸から所定の距離だけ離間した位置に配置された軸である。左眼用の回動軸と右眼用の回動軸との間の距離は、調整可能である。回動機構３１２Ｒは、回動機構３１２Ｌと同様の構成を備え、図示しない制御装置からの制御信号を受けて当該回動軸を中心に右検査ユニット３２０Ｒ等を回動する。回動機構３１２Ｒは、操作者による操作を受け、当該回動軸を中心に右検査ユニット３２０Ｒ等を手動で回動することも可能である。
【０１０９】
回動機構３１２Ｌ、３１２Ｒにより左検査ユニット３２０Ｌ及び右検査ユニット３２０Ｒを回動することにより、左検査ユニット３２０Ｌと右検査ユニット３２０Ｒとの向きを相対的に変更することが可能である。例えば、左検査ユニット３２０Ｌと右検査ユニット３２０Ｒとが、被検者の左右眼の眼球回旋点を中心にそれぞれ逆方向に回転される。それにより、被検眼を輻輳させることができる。
【０１１０】
上下動機構３１３Ｌは、左検査ユニット３２０Ｌを上下方向（鉛直方向、Ｙ方向）に移動する。それにより、被検眼の配置位置に応じて、検眼窓の高さ方向の位置を調整することができる。上下動機構３１３Ｌは、例えば、駆動手段や駆動手段により発生された駆動力を伝達する駆動力伝達手段などを用いた公知の構成を備え、図示しない制御装置からの制御信号を受けて左検査ユニット３２０Ｌを上下方向に移動する。上下動機構３１３Ｌは、操作者による操作を受け、左検査ユニット３２０Ｌを上下方向に手動で移動することも可能である。
【０１１１】
上下動機構３１３Ｒは、右検査ユニット３２０Ｒを上下方向に移動する。それにより、被検眼の配置位置に応じて、検眼窓の高さ方向の位置を調整することができる。上下動機構３１３Ｒは、上下動機構３１３Ｌによる移動に連動して右検査ユニット３２０Ｒを移動してもよいし、上下動機構３１３Ｌによる移動とは独立に右検査ユニット３２０Ｒを移動してもよい。上下動機構３１３Ｒは、上下動機構３１３Ｌと同様の構成を備え、図示しない制御装置からの制御信号を受けて右検査ユニット３２０Ｒを上下方向に移動する。上下動機構３１３Ｒは、操作者による操作を受け、右検査ユニット３２０Ｒを上下方向に手動で移動することも可能である。
【０１１２】
左検査ユニット３２０Ｌ及び右検査ユニット３２０Ｒは、個別に動作可能である。
【０１１３】
このような眼科検査システムによれば、両眼について自覚検査や他覚測定を簡便に行うことができる。
【０１１４】
（作用・効果）
実施形態に係る眼科装置及び眼科検査システムの作用及び効果について説明する。
【０１１５】
実施形態に係る眼科装置は、対物レンズ（対物レンズ５１）と、自覚検査光学系（視標投影系４）と、干渉光学系（ＯＣＴ光学系８）と、画像形成部（画像形成部１２２）と、制御部（制御部１１０）とを含む。自覚検査光学系は、被検眼の収差を補正可能な光学素子（ＶＣＣレンズ４６）を含み、対物レンズ及び光学素子を介して被検眼（被検眼Ｅ）に視標を投影する。干渉光学系は、光源（ＯＣＴ光源９１）からの光（光Ｌ０）を参照光（参照光ＬＲ）と測定光（測定光ＬＳ）とに分割し、対物レンズ及び光学素子を介して被検眼に測定光を照射し、その戻り光と参照光との干渉光（干渉光ＬＣ）を生成し、生成された干渉光を検出する。画像形成部は、干渉光学系による干渉光の検出結果に基づいて被検眼の断層像を形成する。制御部は、被検眼に測定光を照射することにより得られた干渉光の検出結果に基づく断層像の形成処理を、自覚検査光学系を用いて得られた被検眼の自覚検査結果に応じて実行させる。
【０１１６】
このような構成によれば、例えば自覚検査光学系を用いて得られた自覚検査結果に問題があると判断された場合に、断層像を取得し、取得された被検眼の眼底の断層像を観察することができる。それにより、自覚検査自体に問題があったのか、網膜疾患など眼底に問題があるのかを判断することが可能になり、自覚検査結果に対する信頼性を向上させることができる。また、別途に得られた他覚測定結果に基づいて光学素子を設定することにより、測定光の照射部位においてより一点に収束されやすくなり、最適な横分解能で、干渉光の検出結果に基づく干渉信号を十分な強度で取得できるようになる。それにより、より高画質の断層像を取得することが可能になる。
【０１１７】
また、実施形態に係る眼科装置では、制御部は、自覚検査結果における被検眼の最高矯正視力が所定の閾値以下のとき、形成処理を実行させてもよい。
【０１１８】
このような構成によれば、最高矯正視力が所定の閾値以下のとき被検眼の眼底の断層像を取得するようにしたので、取得された断層像に基づいて自覚検査結果が正しいか否かを容易に判断することが可能になる。
【０１１９】
また、実施形態に係る眼科装置は、自覚検査結果と断層像とを表示部（表示部１７０）に表示させる表示制御部（表示制御部１１１Ａ）を含んでもよい。
【０１２０】
このような構成によれば、自覚検査結果と断層像とを表示部に表示させるようにしたので、断層像を取得することにより自覚検査結果が正しいか否かを容易に判断することが可能になる。
【０１２１】
実施形態に係る眼科装置は、対物レンズ（対物レンズ５１）と、自覚検査光学系（視標投影系４）と、干渉光学系（ＯＣＴ光学系８）と、収差測定光学系（収差測定投影系６、収差測定受光系７）と、画像形成部（画像形成部１２２）と、制御部（制御部１１０）とを含む。自覚検査光学系は、被検眼の収差を補正可能な光学素子（ＶＣＣレンズ４６）を含み、対物レンズ及び光学素子を介して被検眼（被検眼Ｅ）に視標を投影する。干渉光学系は、光源（ＯＣＴ光源９１）からの光（光Ｌ０）を参照光（参照光ＬＲ）と測定光（測定光ＬＳ）とに分割し、対物レンズ及び光学素子を介して被検眼（被検眼Ｅ）に測定光を照射し、その戻り光と参照光との干渉光（干渉光ＬＣ）を生成し、生成された干渉光を検出する。収差測定光学系は、被検眼に光を照射し、その戻り光の波面の収差を測定するために用いられる。画像形成部は、干渉光学系による干渉光の検出結果に基づいて被検眼の断層像を形成する。制御部は、被検眼に測定光を照射することにより得られた干渉光の検出結果に基づく断層像の形成処理を、自覚検査光学系を用いて得られた被検眼の自覚検査結果と収差測定光学系により得られた収差測定結果とに応じて実行させる。
【０１２２】
このような構成によれば、例えば収差測定光学系を用いて得られた収差測定結果に問題があると判断された場合に、断層像を取得し、取得された被検眼の眼底の断層像を観察することができる。それにより、収差測定自体に問題があったのか、網膜疾患など眼底に問題があるのかを判断することが可能になり、収差測定結果に対する信頼性を向上させることができる。また、別途に得られた他覚測定結果に基づいて光学素子を設定することにより、測定光の照射部位においてより一点に収束されやすくなり、最適な横分解能で、干渉光の検出結果に基づく干渉信号を十分な強度で取得できるようになる。それにより、より高画質の断層像を取得することが可能になる。
【０１２３】
また、実施形態に係る眼科装置は、収差測定結果に基づいて被検眼の視力値を算出する視力値算出部（眼屈折力算出部１２１）を含み、制御部は、視力値算出部により算出された視力値と自覚検査結果との差に応じて形成処理を実行させてもよい。
【０１２４】
このような構成によれば、収差測定光学系を用いて得られた収差測定結果から被検眼の視力値を算出し、算出された視力値と自覚検査光学系を用いて得られた自覚検査結果との差に応じて被検眼の眼底の断層像を取得することができる。それにより、例えば算出された視力値と自覚検査結果との差が大きい場合に、収差測定自体に問題があったか、自覚検査自体に問題があったか、網膜疾患など眼底に問題があるのかを判断することが可能になり、自覚検査結果の信頼性を向上させることができる。
【０１２５】
また、実施形態に係る眼科装置では、制御部は、収差測定結果に応じて断層像の形成処理を実行させてもよい。
【０１２６】
このような構成によれば、収差測定光学系を用いて得られた収差測定結果に応じて被検眼の眼底の断層像を取得することができる。それにより、例えば収差測定結果自体に問題があったか、自覚検査自体に問題があったか、網膜疾患など眼底及び中間透光体に問題があるのかを判断することが可能になり、自覚検査結果の信頼性を向上させることができる。
【０１２７】
また、実施形態に係る眼科装置は、自覚検査結果と収差測定結果と断層像とを表示部（表示部１７０）に表示させる表示制御部（表示制御部１１１Ａ）を含んでもよい。
【０１２８】
このような構成によれば、自覚検査結果と収差測定結果と断層像とを表示部に表示させるようにしたので、断層像を取得することにより自覚検査結果が正しいか否かを容易に判断することが可能になる。
【０１２９】
実施形態に係る眼科検査システムは、左被検眼を検査するための左検査ユニット（左検査ユニット３２０Ｌ）と、右被検眼を検査するための右検査ユニット（右検査ユニット３２０Ｒ）と、を含み、左検査ユニット及び右検査ユニットの少なくとも一方は、上記のいずれかに記載の眼科装置を含む。
【０１３０】
このような構成によれば、簡素な構成で、自覚検査結果の信頼性を向上させつつ、両眼について自覚検査又は収差測定と光コヒーレンストモグラフィを用いた撮影や計測とが可能な眼科検査システムを提供することができる。
【０１３１】
（その他の変形例）
以上に示された実施形態は、この発明を実施するための一例に過ぎない。この発明を実施しようとする者は、この発明の要旨の範囲内において任意の変形、省略、追加等を施すことが可能である。
【０１３２】
上記の実施形態又はその変形例では、干渉光学系はＯＣＴ撮影を行うものとして説明したが、ＯＣＴにより計測を行うものであってもよい。例えば、干渉光学系は、ＯＣＴにより、眼軸長、角膜圧、前房深度、水晶体厚などを計測するものであってもよい。
【０１３３】
眼圧測定機能、眼底撮影機能、前眼部撮影機能、光干渉断層撮影（ＯＣＴ）機能、超音波検査機能など、眼科分野において使用可能な任意の機能を有する装置に対して、上記の実施形態に係る発明を適用することが可能である。なお、眼圧測定機能は眼圧計等により実現され、眼底撮影機能は眼底カメラや走査型検眼鏡（ＳＬＯ）等により実現され、前眼部撮影機能はスリットランプ等により実現され、ＯＣＴ機能は光干渉断層計等により実現され、超音波検査機能は超音波診断装置等により実現される。また、このような機能のうち２つ以上を具備した装置（複合機）に対してこの発明を適用することも可能である。
【符号の説明】
【０１３４】
４  視標投影系
５  観察系
６  収差測定投影系
７  収差測定受光系
８  ＯＣＴ光学系
４６  ＶＣＣレンズ
５１  対物レンズ
１１０  制御部
１２２  画像形成部
【図１】
2017136217.tif 000003
【図２】
2017136217.tif 000004
【図３】
2017136217.tif 000005
【図４】
2017136217.tif 000006
【図５】
2017136217.tif 000007
【図６】
2017136217.tif 000008